(57)【特許請求の範囲】
【請求項１】
受光部を有し、前記受光部で光を受けることにより発光する指針と、
前記指針に指示される指標を表す画像を表示面に表示する表示部と、
前記表示面の前面側に位置し、前記指標を透かして視認させる透明部材を含み、前記指針を前記表示面の法線方向に向く回転軸を中心に回転可能に支持する指針支持部と、
前記指針を照明する光源と、
前記指針支持部を支持し、前記指針と前記指針支持部と前記光源とを共に前記表示面の面内方向に移動させる可動部材と、を備え、
前記光源は、前記透明部材の外周側の側面部と対向する位置に設けられ、前記側面部に向けて光を出射し、
前記透明部材は、前記光源が出射した光を前記側面部から内部に取り込んで前記受光部に向けて導く、
ことを特徴とする計器装置。
【請求項２】
前記透明部材は、前記側面部を含む板状部と、前記板状部よりも前記回転軸側に位置する導光部と、を有し、
前記板状部には前記回転軸を中心とした開口部が設けられ、前記開口部の側面の少なくとも一部は、前記板状部が前記側面部から内部に取り込んだ前記光源からの光を出射する出射面として構成され、
前記導光部は、前記出射面と対向する側面であって前記出射面から出射された光が入射する受光面を有し、前記受光面に入射した前記光源からの光を前記受光部に向けて導く、
ことを特徴とする請求項１に記載の計器装置。
【請求項３】
前記側面部には、前記光源から放射状に出射された光を前記回転軸の方向に向けて集光する凸曲面が形成されている、
ことを特徴とする請求項１又は２に記載の計器装置。
【請求項４】
前記側面部には、切り欠き部が設けられ、
前記光源は、前記切り欠き部の中に位置し、
前記切り欠き部の前記光源と対向する面が前記凸曲面となっている、
ことを特徴とする請求項３に記載の計器装置。
【請求項５】
前記板状部は、前記表示面の法線方向から見て、前記回転軸を中心とした円形状の円板部を含み、
前記板状部には、前記円板部の外周側の端部を覆い、該端部から漏れ出る光を抑える遮光性のリング部材が設けられている、
ことを特徴とする請求項２に記載の計器装置。
【請求項６】
前記円板部には、外周側の縁に沿うように前記光源に電力を供給する配線を設けられ、
前記リング部材は、前記配線を覆う、
ことを特徴とする請求項５に記載の計器装置。
【発明の詳細な説明】
【技術分野】
【０００１】
本発明は、計器装置に関する。
【背景技術】
【０００２】
計器装置として、例えば、特許文献１に開示されたものが知られている。この計器装置は、車両に搭載されるものであり、車両情報を表示する表示パネル（表示部）と、表示部の前面側に配設された透光性樹脂からなる支持板（透明部材）と、透明部材の前面側で回転する指針と、支持板の背面に配設されたＦＰＣ（Flexible Printed Circuit）と、ＦＰＣに実装され、前記指針を照明する発光素子と、を備えており、指針と、透明部材を透かして視認できる表示部の車両情報とに基づいて、所定の計測量（例えば、車速）を報知可能に構成されている。
【先行技術文献】
【特許文献】
【０００３】
【特許文献１】特開２０１１−１７５８３号公報
【発明の概要】
【発明が解決しようとする課題】
【０００４】
特許文献１に係る計器装置は、透明部材を横断するようにＦＰＣが配設された構造のため、表示部を透かして視認させる透明部材についてのデザイン上の制約が生じていた。このような制約が生じると商品性を向上しづらい。
【０００５】
本発明は、上記実状に鑑みてなされたものであり、表示部を透かして視認させる透明部材についてのデザイン上の制約を軽減し、商品性を高めることが可能な構成の計器装置を提供することを目的とする。
【課題を解決するための手段】
【０００６】
上記目的を達成するため、本発明に係る計器装置は、
受光部を有し、前記受光部で光を受けることにより発光する指針と、
前記指針に指示される指標を表す画像を表示面に表示する表示部と、
前記表示面の前面側に位置し、前記指標を透かして視認させる透明部材を含み、前記指針を前記表示面の法線方向に向く回転軸を中心に回転可能に支持する指針支持部と、
前記指針を照明する光源と、
前記指針支持部を支持し、前記指針と前記指針支持部と前記光源とを共に前記表示面の面内方向に移動させる可動部材と、を備え、
前記光源は、前記透明部材の外周側の側面部と対向する位置に設けられ、前記側面部に向けて光を出射し、
前記透明部材は、前記光源が出射した光を前記側面部から内部に取り込んで前記受光部に向けて導く、
ことを特徴とする。
【発明の効果】
【０００７】
本発明によれば、表示部を透かして視認させる透明部材についてのデザイン上の制約を軽減し、商品性を高めることが可能な構成の計器装置を提供することができる。
【図面の簡単な説明】
【０００８】
【図１】本発明の一実施形態に係る計器装置の概略正面図である。
【図２】図１に示す計器装置のＡ−Ａ線概略断面図である。
【図３】（ａ）は、図１に示す移動指針部のＢ−Ｂ線概略断面図である。（ｂ）は、透明部材の円板部及び導光部と台座とを示した概略平面図である。
【図４】計器装置の概略斜視図であり、移動機構が備える伝達機構を説明するための図である。
【図５】移動機構が備える移動板の斜視図である。
【図６】スライド機構を説明するための平面図である。
【図７】移動機構が備える検出ユニットを説明するための模式図である。
【図８】制御用基板が有する制御部の機能を説明するためのブロック図である。
【図９】（ａ）及び（ｂ）は、光源からの光がどのように指針の受光部に導かれるかを説明するための模式図である。
【図１０】同上実施形態の変形例に係る計器装置の要部正面図であり、主に、透明部材の円板部と光源とを示した図である。
【発明を実施するための形態】
【０００９】
本発明の一実施形態に係る計器装置について図面を参照して説明する。
【００１０】
本実施形態に係る計器装置１００は、図１に示す、車両に搭載される車両用計器である。以下では、計器装置１００の構成の理解を容易にするため、図１等に示すように、計器装置１００を正視するユーザから見ての上下方向をＹ軸方向、左右方向をＸ軸方向とし、Ｘ軸及びＹ軸と直交する方向をＺ軸方向として、適宜、計器装置１００を構成する各部を説明する。なお、図中、Ｘ軸、Ｙ軸、Ｚ軸を示す矢印が向く方向を各軸方向の＋（プラス）方向とし、その反対方向を−（マイナス）方向とする。
【００１１】
計器装置１００は、図１、図２に示すように、表示部１と、移動指針部２と、移動用ユニット３と、制御部４０（図８参照）を含む制御用基板４と、これらを収納するケース体（図示せず）と、を備える。
計器装置１００は、移動用ユニット３により移動指針部２をＸ軸方向（左右方向）に移動させるとともに、この移動に併せて表示部１が表示する表示画像を移動又は変形させる。つまり、計器装置１００は、表示態様を変化させることが可能な計器装置として構成されている。
【００１２】
表示部１は、車両の状態（車速、エンジン回転数等）を報知するための画像を、制御部４０の制御の下、表示面１０に表示するものである。表示部１は、例えば、移動指針部２と協同して所定の計器（例えば、車速計）を表現する。この場合、表示部１は、円弧状に配列させた目盛１１ａ、数値１１ｂ等からなる指標１１を表す画像を表示面１０に表示し、指標１１を指示する後述の指針２３と協同して車速計を表現する。表示部１は、例えばＴＦＴ型の液晶ディスプレイ装置から構成され、ＴＦＴ液晶パネル、偏光板、バックライト、ディスプレイ用筐体等（図示せず）を備える。
【００１３】
移動指針部２は、図２、図３（ａ）（ｂ）等に示すように、第１電動機２１と、第１マグネット体２２と、指針２３と、指針支持部２４と、リング部材２５と、を備える。
移動指針部２は、後述の移動板３１１に対して不動となっており、Ｘ軸方向に移動する移動板３１１の移動に伴って、Ｘ軸方向に移動する。
【００１４】
第１電動機２１は、例えばステッピングモータから構成され、制御部４０の制御の下、計測量（例えば、車速）に応じてＺ軸方向に向く回転軸２１ａを回転させる。第１電動機２１は、図２に示すように、後述の移動板３１１に取り付けられた基材Ｓに固定される。回転軸２１ａの先端部は、基材Ｓに形成された孔Ｓ１と移動板３１１に形成された後述の開口部Ｈ３とを通過し、表示部１のすぐ裏に位置する。
【００１５】
第１マグネット体２２は、第１電動機２１の回転軸２１ａに取り付けられ、回転軸２１ａの回転に伴って回転する。このように取り付けられた第１マグネット体２２は、図２に示すように、表示部１のすぐ裏に位置する。第１マグネット体２２は、例えば、磁石（図示せず）と、磁石よりも第１電動気２１側に位置するヨーク（図示せず）と、を有し、後述の第２マグネット体５に磁力を効率良く伝える一方で、第１電動機２１にはヨークの透磁効果により磁気影響を極力与えないように構成されている。
【００１６】
指針２３は、Ｚ軸方向に向く指針軸２３ａと、指標１１を指示する指示部２３ｂと、指針キャップ２３ｃと、を有する。指示部２３ｂは、透明（有色透明も含む）の導光材料からなり、指示部２３ｂには指針軸２３ａの一端部が圧入されている。指針キャップ２３ｃは、遮光性の樹脂材料からなり、指示部２３ｂの指針軸２３ａ近傍を＋Ｚ軸方向側から覆う。このように構成された指針２３は、後述の第２マグネット体５の回転に伴って回転する。指示部２３ｂの指針軸２３ａ近傍の部分であって、後述の導光部６１の立設部６１ｂと対向する部分は、後述の光源Ｌ１、Ｌ２からの光を受ける受光部２３０ｂとして構成され（図３（ａ）参照）、この受光部２３０ｂから指示部２３ｂ内部に光を取り込み、取り込んだ光を先端まで導くことで、指示部２３ｂが発光する。
【００１７】
指針支持部２４は、表示面１０の前面側（表示面１０の＋Ｚ軸方向側）で、指針２３を回転可能に支持する部分であり、第２マグネット体５と、透明部材６と、台座７と、カバー部材８と、を備える。
【００１８】
第２マグネット体５は、台座７に回転可能に収納されており、表示部１の前面側であって、第１マグネット体２２と対向する位置に配設されている。第２マグネット体５は、第１マグネット体２２からの表示部１を透過した磁力を受け、第１マグネット体２２の回転に従って回転する。第２マグネット体５には、指針２３の指針軸２３ａの他端部（指示部２３ｂ側とは反対側の端部）が圧入されており、これにより、第２マグネット体５は、指針２３を支持する。この第２マグネット体５に、第１マグネット体２２によって第１電動機２１の回転動力が伝えられることで、指針２３が回転する。表示部１が有する前記ディスプレイ用筐体は、このように磁力を透過させる必要があるため、アルミ等の非磁性体により形成される。
【００１９】
透明部材６は、表示面１０の前面側に位置するアクリル等の樹脂材料からなる透明（有色透明も含む）な部材であり、後述の光源Ｌ１，Ｌ２が出射した光を内部に取り込んで、指針２３の受光部２３０ｂに向けて導くものである。透明部材６は、板状部６０と、導光部６１と、を有する。
【００２０】
板状部６０は、表示面１０の法線方向から見て円形状の円板部６００と、円板部６００のＹ軸方向側の両端部の各々から外周方向に延在する第１延在部６１０と、第２延在部６２０と、から一体的に構成されている。
【００２１】
円板部６００は、図２、図３（ａ）に示すように円錐台形状の筒のように形成されており、その上底部分の中心には、円板部６００をＺ軸方向に貫く貫通孔からなる開口部６０１が形成されている（図３（ａ）（ｂ）参照）。開口部６０１は、後述の台座７を板状部６０に取り付けるために設けられる。また、開口部６０１の側面の一部は、光源Ｌ１、Ｌ２から導いた光を導光部６１に向けて出射する出射面として機能する。具体的には、図３（ａ）（ｂ）、図９（ｂ）に示すように、開口部６０１の側面のうち、概ね＋Ｙ軸方向に向く面が光源Ｌ１から導いた光を導光部６１に向けて出射する出射面６０２ａとして機能し、概ね−Ｙ軸方向に向く面が光源Ｌ２から導いた光を導光部６１に向けて出射する出射面６０２ｂとして機能する。円板部６００は、図１に示すように、透明部材６のうち表示部１の表示画像（例えば、指標１１）を透かして視認させる部分である。
【００２２】
第１延在部６１０、第２延在部６２０は、例えば、矩形状に形成された部分であり、各々の端部には後述の移動板３１１に透明部材６を取り付けるための孔（図示せず）が形成されている。第１延在部６１０は、円板部６００の−Ｙ軸方向側の側面部から−Ｙ軸方向側に延びるように形成されている。第２延在部６２０は、円板部６００の＋Ｙ軸方向側の側面部から＋Ｙ軸方向側に延びるように形成されている。
【００２３】
第１延在部６１０の−Ｙ軸方向側の側面部には、切り欠き部６１１が設けられている。この切り欠き部６１１は、表示面１０の法線方向から見ると、図１に示すように、略凸型となる。切り欠き部６１１の一部は、後述する回路基板３１２ａの＋Ｚ軸側の端部の形状に合わせて形成されており、その他の部分は、回路基板３１２ａに実装された光源Ｌ１を収納するような形状で形成されている。切り欠き部６１１の側面のうち光源Ｌ１とＹ軸方向で対向する面は、図１、図９（ａ）に示すように、光源Ｌ１に向かって膨らむような曲面、即ち、凸曲面６１２となっている。この凸曲面６１２は、光源Ｌ１から放射状に出射された光を指針軸２３ａの方向（＋Ｙ軸方向）に向けて集光する（図９（ａ）参照）。
【００２４】
第２延在部６２０の＋Ｙ軸方向側の側面部には、切り欠き部６２１が設けられている。この切り欠き部６２１は、表示面１０の法線方向から見ると、図１に示すように、略凸型となる。切り欠き部６２１の一部は、後述する回路基板３１２ｂの＋Ｚ軸側の端部の形状に合わせて形成されており、その他の部分は、回路基板３１２ｂに実装された光源Ｌ２を収納するような形状で形成されている。切り欠き部６２１の側面のうち光源Ｌ２とＹ軸方向で対向する面は、図１に示すように、光源Ｌ２に向かって膨らむような曲面、即ち、凸曲面６２２となっている。この凸曲面６２２は、光源Ｌ２から放射状に出射された光を指針軸２３ａの方向（−Ｙ軸方向）に向けて集光する。
【００２５】
導光部６１は、板状部６０よりも指針軸２３ａ側に位置し、板状部６０が取り込んだ光源Ｌ１、Ｌ２からの光を、指針２３の受光部２３０ｂに向けて導くものである。本実施形態では、導光部６１は、板状部６０と別体である。
【００２６】
導光部６１は、図２に示すように、略筒形状の部材である。導光部６１は、図３（ｂ）に示すように、板状部６０からの光を受ける部分である受光部６１ａと、受光部６１ａから＋Ｚ軸方向に立設するような形状の立設部６１ｂと、を有する。また、導光部６１には立設部６１ｂに略囲まれるように開口部６１ｃが設けられている。
【００２７】
導光部６１は、指針軸２３ａの中心軸を含むＸ−Ｚ平面に対して対称に形成されているため、導光部６１のうち前記Ｘ−Ｚ平面よりも−Ｙ軸方向側について説明すると、受光部６１ａのうち円板部６００の出射面６０２ａと対向する面は、図３（ｂ）、図９（ｂ）に示すように、出射面６０２ａから出射された光（光源Ｌ１からの光）が入射する受光面６１ａａとして機能する。導光部６１は、受光面６１ａａから入射した光を受光部６１ａに取り込み、−Ｙ軸方向側からの光を効率良く＋Ｚ軸方向側に反射させる反射面６１ａｂ（図９（ｂ）参照）を介して、立設部６１ｂに導く。このように導かれた光は、立設部６１ｂの＋Ｚ軸方向に向く面から出射し、指針２３の受光部２３０ｂに入射する。これにより、指針２３は発光する。導光部６１の前記Ｘ−Ｚ平面よりも＋Ｙ軸方向側についても同様である（つまり、光源Ｌ２からの光も同様に、導光部６１によって受光部２３０ｂに導かれる）。導光部６１は、台座７に保持されている。
【００２８】
台座７は、図２、図３（ａ）に示すように、表側（＋Ｚ軸方向側）開口の略円筒形の部材であり、その底面部に、指針２３の指針軸２３ａを受ける軸受け部７ａを有するとともに、第２マグネット体５を回転可能に収納する。台座７の＋Ｚ軸方向側の端部内面には、図３（ａ）に示すように、カバー部材８を保持する第１保持部７ｂが形成されている。台座７の内面の第１保持部７ｂよりも−Ｚ軸方向側には、図２に示すように、導光部６１を保持する第２保持部７ｃが形成されている。台座７は、その筒状の一端部（＋Ｚ軸方向側の端部）に、図３（ａ）中左右に迫り出したフランジ部７ｄを有している。台座７は、図３（ａ）に示すように、その筒状の底面側から円板部６００の開口部６０１に挿通されるとともに、そのフランジ部７ｄが円板部６００の表面に載置されるようにして、板状部６０に保持されている。
【００２９】
カバー部材８は、遮光性の樹脂からなり、台座７の第１保持部７ｂに保持されることで、導光部６１が収納された台座７を表側から覆うものである。カバー部材８の一部には、図２に示すように、導光部６１の立設部６１ｂを＋Ｚ軸方向に覗かせる孔部８ａが形成されている。このようにカバー部材８が構成されることで、導光部６１からの光のうち、指針２３を照明するために余分な光を外部に漏らさず、指針２３を照明するために必要な光については、指向性をもたせて、指針２３の受光部２３０ｂに向け出射させることができる。また、カバー部材８には、図３（ａ）に示すように、指針軸２３ａを通すための孔部８ｂが形成されている。
カバー部材８と台座７には、例えば、互いに嵌合する取付部材（図示せず）が形成されており、この取付部材により、カバー部材８は、台座７に取り付けられる。
【００３０】
リング部材２５は、円板部６００の外周側の端部を覆い、この端部から漏れ出る光を抑えるために設けられるものであり、遮光性の樹脂、金属等からなる。具体的には、リング部材２５は、図３（ａ）に示すように、円板部６００の＋Ｚ軸方向に向く面の縁部と円板部６００の側面とを覆う。また、リング部材２５は、表示部１と移動指針部２とが協同して表現する計器（例えば、車速計）の枠としての役割も持つ。なお、図４においては、リング部材２５を省略している。
【００３１】
移動用ユニット３は、図２等に示すように、移動機構３１と、スライド機構３２と、筐体３３と、検出ユニット３４と、を有する。
【００３２】
移動機構３１は、移動指針部２をＸ軸方向に移動させるための機構であり、移動板３１１と、回路基板３１２と、第２電動機３１３と、伝達機構３１４と、を備える。
【００３３】
移動板３１１は、例えば、樹脂材料やアルミ等の非磁性金属からなり、移動指針部２を保持するものである。移動板３１１は、図５に示すように、矩形状でＸ−Ｙ平面と平行な主面を有する板形状の本体部３１１０と、本体部３１１０の上下各々の端部から＋Ｚ軸方向に突出する板形状の第１支持部３１１１、第２支持部３１１２と、を備える。第１支持部３１１１は移動板３１１の−Ｙ軸方向側端部に位置し、第２支持部３１１２は移動板３１１の＋Ｙ軸方向側端部に位置する。
【００３４】
第１支持部３１１１の−Ｙ軸方向に向く面には、回路基板３１２（後述の回路基板３１２ａ）を保持するための凹み部分からなる保持部Ｃａ１が設けられている。また、第１支持部３１１１の＋Ｚ軸方向に向く面には、後述の光源Ｌ１を収納するための切り欠き部Ｃａ２と、ネジ孔Ｈ１が形成されている。第２支持部３１１２の＋Ｙ軸方向に向く面には、回路基板３１２（後述の回路基板３１２ｂ）を保持するための凹み部分からなる保持部Ｃｂ１が設けられている。また、第２支持部３１１２の＋Ｚ軸方向に向く面には、後述の光源Ｌ２を収納するための切り欠き部Ｃａ２と、ネジ孔Ｈ２が形成されている。
指針支持部２４は、板状部６０の第１延在部６１０に形成された孔（図示せず）を通過させたネジＴ１（図１、図４参照）をネジ孔Ｈ１（図５）に螺着させ、板状部６０の第２延在部６２０に形成された孔（図示せず）を通過させたネジＴ２（図１、図４参照）をネジ孔Ｈ２（図５参照）に螺着させることで、移動板３１１に取り付けられる。このようにして、移動板３１１は、その第１支持部３１１１及び第２支持部３１１２で、指針支持部２４を表示部１側から支えている。
【００３５】
移動板３１１の本体部３１１０には、図２、図５に示すように、第１電動機２１の回転軸２１ａを通すための開口部Ｈ３が形成されている。また、本体部３１１０には、その裏面から−Ｚ方向に突出する挟持部３１１０ａが形成されている（図２参照）。挟持部３１１０ａは、伝達機構３１４の後述するタイミングベルト３１４ｃを挟持する。挟持部３１１０ａにより、移動板３１１は、タイミングベルト３１４ｃに取り付けられる。また、本体部３１１０の裏面には、開口部Ｈ３の外周から立設するように形成された基材取付部３１１０ｂが設けられている。基材取付部３１１０ｂに前述の基材Ｓが取り付けられ、基材Ｓに第１電動機２１が取り付けられることで、第１電動機２１は、移動板３１１の裏側に固定される。また、本体部３１１０には、移動板３１１を後述の摺動部材３２２に取り付けるためのネジＵを通すための孔が複数形成されている（図５では、これらの孔にネジＵが通された状態の移動板３１１を示した）。
【００３６】
回路基板３１２は、ガラス繊維を含む樹脂等からなる板状の基材に、所定の配線パターンが形成されたプリント回路板である。図１、図２、及び図４に示すように、回路基板３１２は２つあり、以下では、このうち第１支持部３１１１の保持部Ｃａ１に保持されるものに３１２ａと、第２支持部３１１２の保持部Ｃｂ１に保持されるものに３１２ｂと符号を付して説明する。
【００３７】
回路基板３１２ａには、例えば、ＬＥＤ（Light Emitting Diode）からなる光源Ｌ１が実装されている。回路基板３１２ａには孔が設けられており、この孔を通したネジＴ３（図１、図２参照）を移動板３１１の第１支持部３１１１に設けられたネジ孔に螺着することにより、回路基板３１２ａは、保持部Ｃａ１に収まるようにして第１支持部３１１１に保持される。このようにして保持された回路基板３１２ａの＋Ｚ軸方向側に光源Ｌ１は実装されている。光源Ｌ１は、＋Ｙ軸方向に向け光を出射する。また、光源Ｌ１は、その出射光の光軸中心が板状部６０の第１延在部６１０の板厚（Ｚ軸方向の厚さ）の中心と略一致（丁度、一致も含む）するように配設されている。また、光源Ｌ１は、図１に示すように、第１延在部６１０に設けられた切り欠き部６１１の中に位置する。
【００３８】
回路基板３１２ｂには、例えば、ＬＥＤからなる光源Ｌ２が実装されている。回路基板３１２ｂには孔が設けられており、この孔を通したネジＴ４（図１、図２及び図４参照）を移動板３１１の第２支持部３１１２に設けられたネジ孔に螺着することにより、回路基板３１２ｂは、保持部Ｃｂ１に収まるようにして第２支持部３１１２に保持される。このようにして保持された回路基板３１２ｂの＋Ｚ軸方向側に光源Ｌ２は実装されている。光源Ｌ２は、−Ｙ軸方向に向け光を出射する。また、光源Ｌ２は、その出射光の光軸中心が板状部６０の第２延在部６２０の板厚（Ｚ軸方向の厚さ）の中心と略一致（丁度、一致も含む）するように配設されている。また、光源Ｌ２は、図１に示すように、第２延在部６２０に設けられた切り欠き部６２１の中に位置する。
【００３９】
回路基板３１２ａ、３１２ｂの各々は、図示しないＦＰＣ等により、制御用基板４と導通されており、光源Ｌ１、Ｌ２は、制御部４０の制御の下、適宜、発光する。光源Ｌ１、Ｌ２は、指針２３を照明するための光源であり、光源Ｌ１、Ｌ２が出射した光は、板状部６０、導光部６１を通過して（導かれて）、指示部２３ｂの受光部２３０ｂに至る。
【００４０】
第２電動機３１３は、例えば、ステッピングモータからなる。第２電動機３１３は、後述の制御部４０の制御の下、回転軸３１３ａを回転させる。
【００４１】
伝達機構３１４は、図４に示すように、Ｘ軸方向に所定の間隔を空けて配置された２つのプーリー３１４ａ，３１４ｂと、両者に巻回されるタイミングベルト３１４ｃと、を備える。
【００４２】
プーリー３１４ａは、計器装置１００の表側から見て右側に位置している。プーリー３１４ａには、軸Ａ１が圧入されている。軸Ａ１は、例えば、筐体３３に回転可能に保持されている。プーリー３１４ｂは、計器装置１００の表側から見て左側に位置している。プーリー３１４ｂには第２電動機３１３の回転軸３１３ａが圧入されている。これにより、プーリー３１４ｂは、回転軸３１３ａの回転に伴って回転する。タイミングベルト３１４ｃは、２つのプーリー３１４ａ，３１４ｂが空転しないように所定の張力をもって取り付けられるため、第２電動機３１３の回転動力によってプーリー３１４ｂが回転すると、プーリー３１４ａも同様に回転する。このようにして、伝達機構３１４は、第２電動機３１２で発生した回転動力をスライド方向（Ｘ軸方向）の動力に変換して、前述のようにタイミングベルト３１４ｃに取り付けられた移動板３１１をスライド移動させる。
【００４３】
スライド機構３２は、移動板３１１を摩擦力の影響を極力抑えつつＸ軸方向に案内するためのものであり、図２、図６に示すように、レール部３２１と、摺動部材３２２と、を備える。なお、図６は、スライド機構３２の正面図（スライド機構３２を−Ｚ軸方向から見た図）である。
【００４４】
レール部３２１は、ステンレス等からなるＸ軸方向に延在するレール部材であり、その断面が略コの字形状に形成されている（図２参照）。レール部３２１は、図示するように２つあり、両者は、Ｙ軸方向に所定の間隔を空けて、平行配置されている。なお、レール部３２１は、１つであってもよい。レール部３２１は、図２に示すように、筐体３３の表示部１の背後に位置する部分（−Ｚ軸方向に向く主面）に取り付けられている。
摺動部材３２２は、含油性のポリアセタール（ＰＯＭ）樹脂等の摺動性樹脂からなる部材である。摺動部材３２２は、レール部３２１に収納されると共に、レール部３２１内を摺動する。摺動部材３２２は、図示するように２つあり、２つのレール部３２１の各々に１つずつ設けられている。この摺動部材３２２に移動板３１１が取り付けられる。具体的には、摺動部材３２２には、図６に示すように、ネジ孔３２２ａが形成されており、ネジ孔３２２ａにネジＵ（図５参照）を螺着することにより移動板３１１は摺動部材３２２に取り付けられる。
【００４５】
筐体３３は、移動機構３１用の筐体であり、例えば、樹脂材料やアルミ等の非磁性金属から形成されている。
【００４６】
図７に模式的に示す検出ユニット３４は、移動指針部２（ないしは移動板３１１）のＸ軸方向における位置を検出するためのものであり、例えば、フォトリフレクタ（反射型フォトインタラプタ）から構成されている。検出ユニット３４は、検出部３４ａと、ターゲット３４ｂと、を備える。
【００４７】
検出部３４ａは、例えば、赤外光を出射する発光素子（赤外ＬＥＤ）と受光素子（フォトトランジスタ）とを備え、ターゲット３４ｂを検出すると、検出信号を制御部４０に供給する。ターゲット３４ｂは、例えば、赤外光を反射する反射部であり、検出部３４ａの検出対象部である。具体的には、赤外光を照射する検出部３４ａが、ターゲット３４ｂに対向する位置に位置すると、ターゲット３４ｂは、検出部３４ａの発光素子が出射した赤外光を検出部３４ａに向け反射させる。そして、検出部３４ａは、その反射した光を受光素子で受光することにより、ターゲット３４ｂを検出し、検出信号を、センサ情報入力ポート７を介して、制御部４０に供給する。検出部３４ａは、移動板３１１の所定箇所に取り付けられる。ターゲット３４ｂは、第１部分３１の移動完了位置を定めるためのものであり、移動板３１１のように移動しない箇所（例えば、筐体３３の所定箇所）に複数取り付けられる。具体的には、図７に模式的に示すように、例えば、３つのターゲット３４ｂが、各々、Ｘ軸に沿うように所定間隔を空けて配置される。検出部３４ａとターゲット３４ｂは、各々が計器装置１００の上下方向（Ｙ軸方向）において同じ高さになるように配置され、移動板３１１がスライド移動し、検出部３４ａが複数のターゲット３４ｂのいずれかと対向する位置にくると、検出部３４ａが反応し、移動板３１１が所定位置に位置した（つまり、移動指針部２が移動完了位置にある）ことを検知する。
このようにして、検出ユニット３４は、移動指針部２の位置を検出する。本実施形態では、移動指針部２の停止位置（移動終了位置）は、表示面１０の左端部、中央部、右端部の３つであり、これらの停止位置は、３つのターゲット３４ｂの配設位置によって規定されている。指針移動部２（ないしは移動板３１１）は、ターゲット３４ｂの配設位置を基準として停止する（移動完了する）ため、移動機構３１を構成する各部が、温度変化により膨張収縮したり、摩耗したりすることによっては、移動後の位置がずれることがなく、精度良く移動が可能である。
【００４８】
制御用基板４は、制御部４０を実装したプリント回路板であり、移動用ユニット３の裏側に位置する。制御用基板４と回路基板３１２ａ、３１２ｂの各々とは、図示しないＦＰＣ、コネクタ等により導通接続されている。また、制御用基板４と第１電動機２１、制御用基板４と第２電動機３１３とは、図示しないＦＰＣ、コネクタ等により導通接続されている。
【００４９】
制御部４０は、マイコン４１と、グラフィックディスプレイコントローラー（ＧＤＣ）４２と、第１電動機２１、第２電動機３１３、光源Ｌ１、Ｌ２、表示部１のバックライト等を駆動する各種ドライバＩＣ（Integrated Circuit）（図示せず）と、を備える。制御部４０は、適宜、光源Ｌ１、Ｌ２を駆動する（発光させる）。マイコン４１は、ＣＰＵ（Central Processing Unit）、ＲＯＭ（Read Only Memory）、ＲＡＭ（Random Access Memory）、入出力インターフェイス等を備え、車両情報入力ポート９１及びセンサ情報入力ポート９２から入力された各種情報を受け付け、各部に制御信号を供給する。車両情報入力ポート９１は、車両ＥＣＵ（Electronic Control Unit）から通信ラインにより伝送される各種状態情報、ユーザが所定の入力操作をした際の操作内容を示す操作情報等の車両情報が入力されるポートである。センサ情報入力ポート９２は、検出部３４ａからの検出信号が入力されるポートである。この検出信号は、検出部３４ａがターゲット３４ｂを検出した際の検出信号（つまり、指針移動部２（ないしは移動板３１１）が所定の位置にあることを示す信号）である。マイコン４１のＣＰＵは、例えばＲＯＭ内に予め記憶された計器装置１００の表示形態を変形させるための処理を実行するための所定プログラムを読み出し、実行する。ＧＤＣ４２は、マイコン４１と協働して、表示部１の表示を制御する。
【００５０】
以上の構成からなる計器装置１００は、制御部４０の制御の下、所定の情報をトリガとして、移動用ユニット３により移動指針部２（ないしは移動板３１１）をＸ軸方向にスライド移動させるとともに、この移動に併せて表示部１が表示する表示画像を移動又は変形させる。
【００５１】
ここからは、光源Ｌ１、Ｌ２が、どのようにして指針２３を照明するかを、主に図９（ａ）（ｂ）を参照して説明する。なお、透明部材６は、図１に示すＢ−Ｂ線に対し略対称（丁度、対称も含む）であり、また、回路基板３１２ａと回路基板３１２ｂも、Ｂ−Ｂ線に対して、略対称に配設されているため、以下では、光源Ｌ１からの光について主に説明する。
【００５２】
制御部４０の制御の下、光源Ｌ１が発光すると、光源Ｌ１からの光は、板状部６０の第１延在部６１０に入射する。具体的には、第１延在部６１０の凸曲面６１２に入射する。光源Ｌ１からの出射光は、図９（ａ）に示すように、放射状になるが、凸曲面６１２の屈折効果により、凸曲面６１２に入射した光は、指針軸２３ａの方向（＋Ｙ軸方向）に集光され、円板部６００を通過して、効率良く導光部６１に向かう。第１延在部６１０に入射した光源Ｌ１からの光は、出射面６０２ａから出射され、受光部６１ａの受光面６１ａａから導光部６１に入射する。受光面６１ａａから入射した光は、反射面６１ａｂで反射し、＋Ｚ軸方向に向かい、立設部６１ｂの＋Ｚ軸方向に向く面から出射される。立設部６１ｂから出射された光は、指針２３の受光部２３０ｂから指示部２３ｂに入射する。これにより、指針２３（指示部２３ｂ）が発光する。
このように、光源Ｌ１から出射された光は、第１延在部６１０と円板部６００と導光部６１とからなる導光路を効率良く通過して、指針２３の受光部２３０ｂに至る。光源Ｌ２から出射された光も同様に、第２延在部６２０と円板部６００と導光部６１とからなる導光路を効率良く通過して、指針２３の受光部２３０ｂに至る。
【００５３】
以上のように、本実施形態に係る計器装置１００によれば、指標１１を透かして視認させる透明部材６（円板部６００）を横断するＦＰＣ、透明電極等の配線を設ける必要がないため、透明部材についてのデザイン上の制約を軽減し、商品性を高めることが可能である。
【００５４】
（変形例）
以上の実施形態では、指針２３を照明する光源Ｌ１を第１延在部６１０の外周側の側面部と対向する位置に設け、光源Ｌ２を第２延在部６２０の外周側の側面部と対向する位置に設ける例を示したが、これに限られない。
例えば、図１０に示すように、円板部６００の外周側の側面部６００ａに対向する位置に、指針軸２３ａの方向に向けて光を出射する複数の光源Ｌ’を設けることで、計器装置１００を第１延在部６１０及び第２延在部６２０から光源からの光を取り込まない構成にしてもよい。この場合、円板部６００の外周側の縁に沿うように、ＦＰＣ又は透明電極（例えば、ＩＴＯ（Indium Tin Oxide）、ポリチオフェン等のπ共役系導電性高分子材からなる）により構成される配線を設け、この配線により、光源Ｌ’に電力を供給すればよい。そして、リング部材２５を光源Ｌ’と前記配線を覆うように円板部６００の外周側の縁に設ければ、光源Ｌ’及び前記配線を隠すことができるため、計器装置１００の見栄えも損なわない。また、図示しないが、円板部６００の側面部６００ａのうち光源Ｌ’と対向する面を光源Ｌ’から放射状に出射された光を指針軸２３ａの方向に向けて集光する凸曲面としてもよい。また、側面部６００ａに切り欠き部を設け、光源Ｌ’をこの切り欠き部の中に配置し、この切り欠き部の光源Ｌ’と対向する面を凸曲面としてもよい。このように、凸曲面や、切り欠き部を設けた場合でも、リング部材２５を凸曲面、切り欠き部を隠すように構成すれば、計器装置１００の見栄えを損なわない。
このような変形例であっても、指標１１を透かして視認させる透明部材６（円板部６００）を横断するＦＰＣ、透明電極等の配線を設ける必要がないため、透明部材についてのデザイン上の制約を軽減し、商品性を高めることが可能である。
【００５５】
以上の実施形態及びその変形例に係る計器装置１００によれば、表示部１を透かして視認させる透明部材６についてのデザイン上の制約を軽減し、商品性を高めることが可能である。これは、以下の構成によって実現される。
【００５６】
計器装置１００は、受光部２３０ｂを有し、受光部２３０ｂで光を受けることにより発光する指針２３と、指針２３に指示される指標１１を表示面１０に表示する表示部１と、表示面１０の前面側に位置し、指標１１を透かして視認させる透明部材６を含み、指針２３を表示面１０の法線方向に向く指針軸２３ａ（回転軸の一例）を中心に回転可能に支持する指針支持部２４と、指針２３を照明する光源（例えば、光源Ｌ１、Ｌ２、Ｌ’）と、を備え、前記光源は、透明部材６の外周側の側面部と対向する位置に設けられ、前記側面部に向けて光を出射し、透明部材６は、前記光源が出射した光を前記側面部から内部に取り込んで受光部２３０ｂに向けて導く。
この構成において、透明部材６は、前記側面部を含む板状部６０と、板状部６０よりも指針軸２３ａ側に位置する導光部６１と、を有し、板状部６０には指針軸２３ａを中心とした開口部６０１が設けられ、開口部６０１の側面の少なくとも一部は、板状部６０が前記側面部から内部に取り込んだ前記光源からの光を出射する出射面（出射面６０２ａ、６０２ｂ）として構成され、導光部６１は、前記出射面と対向する側面であって前記出射面から出射された光が入射する受光面６１ａａを有し、受光面６１ａａに入射した前記光源からの光を受光部２３０ｂに向けて導く。
【００５７】
また、計器装置１００において、前記側面部には、光源Ｌ１、Ｌ２から放射状に出射された光を指針軸２３ａの方向に向けて集光する凸曲面６１２、６２２が形成されている。このように構成することで、屈折効果によって指針２３の周辺に光を集めることが可能であり、小出力の光源でも指針２３の発光に必要な光量を確保することができる。
【００５８】
また、計器装置１００において、前記側面部には、切り欠き部６１１、６２１が設けられ、光源Ｌ１、Ｌ２は、切り欠き部６１１、６２１の中に位置し、切り欠き部６１１、６２１の光源Ｌ１、Ｌ２と対向する面が凸曲面６１２、６２２となっている。このように光源Ｌ１、Ｌ２を切り欠き部６１１、６２２の中に収納するように配置すれば、光源を配設するためのスペースが不必要に大きくならなくて済むとともに、光源Ｌ１、Ｌ２が出射した光を、その損失を抑えつつ、凸曲面６１２、６２２に入射させることができる。
【００５９】
また、計器装置１００において、板状部６０は、表示面１０の法線方向から見て、指針軸２３ａを中心とした円形状の円板部６００を含み、板状部６０には、円板部６００の外周側の端部を覆い、該端部から漏れ出る光を抑える遮光性のリング部材２５が設けられている。この構成により、円板部６００の外周側の端部から漏れ出る光を抑えることができるため、円板部６００の外周側の端部が不自然に発光したりせず、見栄えを損なわない。
【００６０】
また、計器装置１００は、指針支持部２４を表示部１側から支持し、指針支持部２４を表示面１０の面内方向に移動させる移動板３１１（可動部材の一例）をさらに備える。
【００６１】
なお、本発明は上記の実施形態、その変形例、及び図面によって限定されるものではない。適宜変更（構成要素の削除も含む）を加えることができるのはもちろんである。
【００６２】
以上の説明では、透明部材６における板状部６０と導光部６１とが別体である例を示したが、板状部６０と導光部６１とが一体的に形成された透明部材６が光源Ｌ１、Ｌ２（ないしはＬ’）が出射した光を側面部から内部に取り込んで受光部２３０ｂに向けて導くようにしてもよい。ただし、以上の実施形態のように、第１マグネット体２２と第２マグネット体５とを協同させて指針２３を回転させる磁気カップリング方式の指針式計器においては、板状部６０と導光部６１とが別体であるほうが、指針保持部２の設計、組み付けにおいて、寸法精度や指針保持部２を構成する各部の取り扱いの点で有利となるため、好ましい。
【００６３】
以上の説明では、表示部１が指標１１等の画像を表示するデジタル表示器である例を示したが、これに限られない。表示部は、指針２３の指示対称である指標が印刷された表示板であってもよい。
【００６４】
以上の説明では、計器装置１００が、移動指針部２がＸ軸方向に移動可能な計器装置として構成される例を示したが、移動指針部２に相当する部分が移動しない計器装置であってもよい。
【００６５】
以上の説明では、計器装置１００がＸ軸方向に移動指針部２を移動させるものとして構成させる例を示したが、これに限られない。上下方向、斜め方向、円弧状に移動させてもよい。
【００６６】
以上の説明では、計器装置が搭載される乗り物の一例が車両である例を示したが、これに限られない。計器装置は、水上バイク、耕作機械、航空機、船舶、電車等の他の乗り物に搭載されるものであってもよい。
【００６７】
以上の説明では、本発明の理解を容易にするために、重要でない公知の技術的事項の説明を適宜省略した。
【符号の説明】
【００６８】
１００      計器装置
１          表示部
１０        表示面
２          移動指針部
２３        指針
２３０ｂ    受光部
２４        指針支持部
２５        リング部材
３          移動用ユニット
３１２      回路基板
Ｌ１、Ｌ２  光源
４          制御用基板
５          第２マグネット体
６          透明部材
６０        板状部
６００      円板部
６０１      開口部
６０２ａ    出射面
６０２ｂ    出射面
６１０      第１延在部
６１１      切り欠き部
６１２      凸曲面
６２０      第２延在部
６２１      切り欠き部
６２２      凸曲面
６１        導光部
６１ａ      受光部
６１ａａ    受光面
６１ｂ      立設部
７          台座
８          カバー部材
【図１】
0005888001.tif 000002
【図２】
0005888001.tif 000003
【図３】
0005888001.tif 000004
【図４】
0005888001.tif 000005
【図５】
0005888001.tif 000006
【図６】
0005888001.tif 000007
【図７】
0005888001.tif 000008
【図８】
0005888001.tif 000009
【図９】
0005888001.tif 000010
【図１０】
0005888001.tif 000011